(57)【要約】【課題】電子黒板装置において、パスワードによって特定の者にのみ利用可能な筆記面を設けることによって、セキュリティー管理を行える電子黒板装置を提供することを目的とする。【解決手段】本発明は、請求項１に記載するように、複数の筆記面から構成された筆記シートを有する電子黒板装置であって、パスワードの入力によってのみ利用可能な筆記面を有することを特徴としている。【選択図】図３
2010052410.tif 000002
【特許請求の範囲】
【請求項１】
複数の筆記面から構成された筆記シートを有する電子黒板装置であって、パスワードの入力によってのみ利用可能な筆記面を有することを特徴とする電子黒板装置。
【請求項２】
筆記シートの最初の筆記面が、パスワードの入力によってのみ利用可能な筆記面であることを特徴とする請求項１項記載の電子黒板装置。
【請求項３】
前記パスワードは、外部メモリに記録可能とし、この外部メモリを接続した場合にのみ利用可能な筆記面を有することを特徴とする請求項１項記載の電子黒板装置。
【請求項４】
表示装置と電子ペンとを有し電子的に筆記を記録し、再生して前記表示装置の表示面に筆記画像を表示可能な電子黒板装置において、パスワードの入力によってのみ再生表示可能な筆記面を有することを特徴とする電子黒板装置。
【請求項５】
前記パスワードは、外部メモリに記録可能とし、この外部メモリを接続した場合にのみ再生可能な筆記面を有することを特徴とする請求項４項記載の電子黒板装置。
【発明の詳細な説明】
【技術分野】
【０００１】本発明は、電子黒板装置であって、複数の筆記面を有する電子黒板装置に関するものである。
【背景技術】
【０００２】電子黒板装置は、白色の書込みシートに、マーカーで文字や図形を記入すると共に、この記入した表面を光学センサーにて画像情報として読み取り、読み取った画像情報を縮小して紙に印刷し、或いは記録する機能を有することを特徴としている。【０００３】特開平６−８３５３９号には、電子黒板装置にメモリーカードを接続し、電子黒板の筆記画像データを外部に取り出すことが可能な電子黒板装置が示されている。
また、特開２０００−４９９９２号には、電子黒板装置をネットワークサーバーに接続し、筆記画像データをそのサーバーに記録するシステムにおいて、そのサーバーに記録された電子黒板装置の画像データをアクセス権を有するもののみに開示する技術が示されている。【０００４】
【特許文献１】特開平６−８３５３９号
【特許文献２】特開２０００−４９９９２号
【発明の開示】
【発明が解決しようとする課題】
【０００５】上記特許文献１では、セキュリティーについて何ら考慮されていないため、電子黒板装置に書き込まれた情報を誰でも取り出すことができる。
しかしながら、電子黒板装置の書き込み情報を特定の人にのみ開示したいとの要望がある。
例えば、電子黒板装置の主な用途が、機密に関する会議の過程の書込みである利用者などから、特に要望がある。
上記特許文献２では、電子黒板装置の筆記情報を、一端サーバーに保存して、アクセス権限のあるもののみに情報を開示するのであるため、セキュリティー性を保つことができる。
しかしながら、ＬＡＮへの接続手段、及び通信手段が必要となると共に、セキュリティー性を必要とせず、簡単に外部メモリに情報を保存したいという利用者には、このようなシステムは不便となる。【０００６】更に、秘密にしたい筆記がされた筆記シートの筆記面を消し忘れて、見せたくない第三者に見られることがある。
また、秘密にしておきたいが、筆記はそのまま残しておきたい場合があるが、現在の電子黒板装置では、このような要望に対処できない。
このため、簡単にセキュリティー機能を実現することができる電子黒板装置が望まれた。
【課題を解決するための手段】
【０００７】上記課題を解決するため、本発明は、請求項１に記載するように、複数の筆記面から構成された筆記シートを有する電子黒板装置であって、パスワードの入力によってのみ利用可能な筆記面を有することを特徴としている。【０００８】更に、例えば、プロジェクタによって投影された面に筆記することが可能な電子黒板装置や、液晶表示装置面に電子ペンで筆記し表示画像と筆記画像とを合成して記録し、再生可能な電子黒板装置において、パスワードの入力によってのみ再生表示可能な筆記面を有することを特徴としている。
【発明の効果】
【０００９】本発明によれば、秘密情報の書きこみを不用意に第三者に見られることが無くなり、セキュリティーを確保することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。
図１は本発明の一実施例を示す正面図である。
１は電子黒板本体、２は本体の表面において、マーカーによって書き込みを行う筆記シートであり、３はこの筆記シートの移動指示や、筆記シートの書込み面を捜査し、筆記画像情報の読込みを行う指示、或いは読込んだデータを図示しないプリンタで印刷する指示などを行う操作パネル、４は外部メモリを接続するための接続端子である。
尚、本実施例では、接続端子４は、ユニバーサル・シリアル・バス（ＵＳＢ）端子、外部メモリ５は、ＵＳＢメモリを用いている。【００１２】図２は、上述の電子黒板１を上方から見た断面図である。
６は筆記シート２に書き込まれた文字や絵を本体１の裏面で読み込めるように、筆記シート２の表面を照明するための光源部、７は筆記シート２の記載内容を読み込むレンズと撮像素子で構成された読取装置（イメージスキャナ）、８は光源部６で照明された筆記シート部分の画像を読取装置７で読み取るために画像を反射するミラーである。
９ａ、９ｂは１対の巻取り用ローラであり、このローラ９には夫々モータが接続されており、筆記シート２は、画像読込み時に、このローラ９ｂによって、矢印Ａで示される方向に移送される。
１０は筆記面の左右に設けられた１対の補助ローラ、１１は筆記シートの筆記面を支えるサポートパネルである。【００１３】筆記シート２は、筆記を５面分行うことができる長さを有し、その最初の筆記面は、後述するパスワードを入力しない限り利用できないように、巻取りローラ９ｂで巻かれている。
したがって、通常の利用時は、４面のみ筆記することが可能である。【００１４】続いて、図３を用いて本実施例装置の動作について説明する。
３１は本実施例装置の動作を制御するＣＰＵであり、３２は読取り装置によって読取られた画像情報を記録する内部メモリ、３３はパスワード認証手段であり、後述するパスワードが記録された外部メモリが接続された場合、この外部メモリに内部メモリに記録された筆記データを出力すると共に、筆記シートの第１面を利用可能とするものである。
３４は内部メモリ３２のデータを図示しないプリンタに出力するためのプリンタ接続端子である。【００１５】操作パネル３によって、コピーを指示するボタンが押されると、ＣＰＵ３１の制御信号により巻取ローラ９ｂは駆動され、筆記シート２は、移送される。
その移送動作に連動して、ＣＰＵ３１の制御信号により光源６及び読取装置７は駆動され、光源部６付近で筆記シートは、この光源部６によって照明され、読取装置７で画像が順次、縦長のライン状に取込まれる。
本実施例では、撮像素子として、ＣＣＤラインセンサが用いられている。
また、光源部６では、複数の半導体発光素子（ＬＥＤ）が縦長のライン状に配置されたものが用いられている。【００１６】読取装置７によって、ライン毎に読取られた画像データは、内部メモリ３２で、合成されて１枚の画像データに構成される。
この１枚の画像データは、プリンタ接続端子３４を介して、図示しないプリンターに伝送され、プリンターによって印刷が行われる。【００１７】上述の動作は、筆記シート２の第２筆記面から以降の筆記面に対しての動作である。
パスワードが記録された外部メモリ５が、外部接続端子４に接続され、パスワード認証手段３３によって、パスワードが認証されると、巻取ローラ９ａによって筆記シート２が巻き取られ、筆記シートの最前面である第１面が筆記面となる。
また、内部メモリ３２に記録された筆記データを外部メモリ５に転送することが可能となる。
この筆記シート２の第１面は、パスワードが記録された外部メモリ５が接続されている場合のみ利用可能であり、外部メモリ５の接続を解除すると、巻取ローラ９ｂによって強制的に巻き取られる。
また、電源をオフにした場合も、この第１面は、強制的に巻き取られ、再度パスワードが記録された外部メモリ５が、接続されない限り、この第１面が筆記面となることはない。【００１８】尚、液晶表示装置４１を有する電子黒板の実施例を図４に示す。
尚、この表示装置４１は、図２で示されているサポートパネルの位置に配置される。
このため、筆記シート２は透明なシートが用いられる。
この実施例では、複数の外部接続端子４を有するインターフェース回路４２を用い、外部メモリ５の他、パーソナルコンピュータ４３を接続する機能を有している。
パソコン４３を接続した場合、表示装置４１には、パソコン４３の画面が表示される。【００１９】尚、この実施例２では、筆記具として通常のマーカーを用いるが、インクを用いない電子ペンによって筆記し、この電子ペンの移動軌跡によって筆記データを構成して、表示装置４１によって筆記画像を表示するように構成してもよい。
この場合、表示装置４１の前面に透明な筆記板を配置するだけで、複数の筆記面を有する筆記シートは不要となり、また巻取ローラ、光源及び、読取装置なども不要となる。【００２０】この電子ペンを用いる電子黒板装置の場合、電子ペンの筆記情報は、赤外線や超音波を用いて、三角測量の原理により電子ペンの筆記軌跡を算出する方式の他、筆記面全面に位置情報パターンを形成しておき、電子ペンに設けられた撮像装置によって、その筆記位置を電子ペンで検出して筆記情報を記録する方式であってもよい。【００２１】また、前述の実施例においては、パスワードは外部メモリに記録しておくような構成としているが、外部メモリに記録するだけでなく、操作パネルから直接入力するように構成してもよい。【００２２】本発明は、上述の実施例に限定されるものではなく、例えば、筆記シート上の筆記画像を読取る方式は、筆記シート表面をスキャナーが移動して読取る方式でもよい。
また、外部メモリは、ＵＳＢメモリに限定されず、種々の異なる方式の例えばＳＤカードであってもよい。【００２３】また、パスワード及びパスワード認証手段に代えて、指紋及び指紋認証手段を用いてもよい。また、筆記を制限する筆記シートの筆記面は最前面としたが、最後面としてもよい。
尚、表示装置を用いる電子黒板装置の場合は、面の順番は考慮する必要はなく、パスワード認証した場合のみ、表示、記録、再生可能とする面を機能的に設けることとなる。
【産業上の利用可能性】
【００２４】本発明は、機密情報のセキュリティー管理を必要とする会議室などで利用される電子黒板装置として用いることが可能となる。
【図面の簡単な説明】
【００２５】
【図１】図１は、本発明の実施例の形態に係る主要な構成を示す正面図である。
【図２】図２は、本発明の実施例装置を上方から見た構成図である。
【図３】図３は、本発明の第１の実施例の制御部に係る構成図である。
【図４】図４は、本発明の第２の実施例の制御部に係る構成図である。
【符号の説明】
【００２６】２：筆記シート
３：操作パネル
４：外部接続端子
５：外部メモリ
９：巻取ローラ
３３：パスワード認証手段
４１：表示装置
【図１】
2010052410.tif 000003
【図２】
2010052410.tif 000004
【図３】
2010052410.tif 000005
【図４】
2010052410.tif 000006